(57)【要約】【課題】部品取付部から部品が脱落することを確実に防止できる電気接続箱を提供する。【解決手段】電気接続箱１は、バスバ６と、該バスバ６に電気接続される複数の部品と、複数の部品取付部１０，２１，２２が設けられた合成樹脂製の保持部材２と、を備えている。電線８の端末に接続された端子金具７が取り付けられる部品取付部１０には、端子金具７を包囲する筒状の包囲壁１１と、該包囲壁１１の内面から延設されて端子金具７に係止する係止アーム１２と、が設けられ、包囲壁１１の対向する一対の壁１１ｃ，１１ｄには、バスバ６が保持部材２に取り付けられる際に通されるスリット１４が設けられている。また、包囲壁１１の外周面には、スリット１４の間隔が拡がることを防止する開き防止部材５が取り付けられている。【選択図】図１
2013021757.tif 000002
【特許請求の範囲】
【請求項１】
バスバと、該バスバに電気接続される複数の部品と、前記バスバが取り付けられるバスバ取付部及び前記複数の部品が取り付けられる複数の部品取付部が設けられた合成樹脂製の保持部材と、を備えた電気接続箱において、
前記複数の部品取付部のうちの少なくとも１つには、前記部品を包囲する筒状の包囲壁と、該包囲壁の内面から延設されて前記部品に係止する係止アームと、が設けられ、前記包囲壁の対向する一対の壁に、前記バスバが前記保持部材に取り付けられる際に通されるスリットが設けられ、かつ、前記包囲壁の外周面に、枠状に形成され前記スリットの間隔が拡がることを防止する開き防止部材が取り付けられている
ことを特徴とする電気接続箱。
【請求項２】
前記部品の１つである電線の端末に接続された端子金具が、前記開き防止部材が取り付けられた前記部品取付部に取り付けられている
ことを特徴とする請求項１に記載の電気接続箱。
【発明の詳細な説明】
【技術分野】
【０００１】
本発明は、自動車に搭載される電気接続箱に関するものである。
【背景技術】
【０００２】
自動車には多種多様な電子機器が搭載されている。これら多種多様な電子機器に電力供給及び信号伝達を行うために、前記自動車には、適宜箇所に電気接続箱が配置されている。また、本発明では、ジャンクションブロック（ジャンクションボックスとも言う。）、ヒューズブロック（ヒューズボックスとも言う。）、リレーブロック（リレーボックスとも言う。）を、総称して以下電気接続箱と呼ぶ。
【０００３】
この電気接続箱は、車種によりいろいろな構造のものが用いられているが、例えば、特許文献１に開示されているように、バスバと、該バスバに電気接続される複数の部品と、これらバスバ及び複数の部品が取り付けられる合成樹脂製の保持部材と、を備えたものがある。
【先行技術文献】
【特許文献】
【０００４】
【特許文献１】特開２００９−１７１７９１号公報
【発明の概要】
【発明が解決しようとする課題】
【０００５】
図９は、本願の発明者が発明した電気接続箱である。同図の符号６は上記バスバ、符号２は上記保持部材を表している。この保持部材２には、バスバ６が取り付けられるバスバ取付部２３、ヒューズ等が取り付けられる複数の部品取付部２１，２２、電線の端末に接続された端子金具が取り付けられる部品取付部１０などが設けられている。
【０００６】
上記部品取付部１０は、上記端子金具を包囲する筒状の包囲壁１１と、該包囲壁１１の内面から延設されて上記端子金具に係止する係止アーム１２と、が設けられている。また、包囲壁１１の対向する一対の壁１１ｃ，１１ｄには、バスバ６がバスバ取付部２３に取り付けられる際に通されるスリット１４が設けられている。また、上記端子金具は、部品取付部１０に取り付けられることによりバスバ６に電気接続されるようになっている。
【０００７】
しかしながら、上記部品取付部１０においては、包囲壁１１に外力が加えられると、スリット１４の間隔が拡がって係止アーム１２の上記端子金具への係止が外れる可能性があることを本願の発明者は発見した。これは、部品取付部１０の包囲壁１１の間口寸法が他の部品取付部２１，２２の間口寸法と比較して大きいことと、包囲壁１１の対向する一対の壁１１ｃ，１１ｄにスリット１４が設けられていることが要因であると考えられる。
【０００８】
したがって、本発明は、部品取付部から部品が脱落することを確実に防止できる電気接続箱を提供することを目的とする。
【課題を解決するための手段】
【０００９】
上記目的を達成するために請求項１に記載された発明は、バスバと、該バスバに電気接続される複数の部品と、前記バスバが取り付けられるバスバ取付部及び前記複数の部品が取り付けられる複数の部品取付部が設けられた合成樹脂製の保持部材と、を備えた電気接続箱において、前記複数の部品取付部のうちの少なくとも１つには、前記部品を包囲する筒状の包囲壁と、該包囲壁の内面から延設されて前記部品に係止する係止アームと、が設けられ、前記包囲壁の対向する一対の壁に、前記バスバが前記保持部材に取り付けられる際に通されるスリットが設けられ、かつ、前記包囲壁の外周面に、枠状に形成され前記スリットの間隔が拡がることを防止する開き防止部材が取り付けられていることを特徴とする電気接続箱である。
【００１０】
請求項２に記載された発明は、請求項１に記載された発明において、前記部品の１つである電線の端末に接続された端子金具が、前記開き防止部材が取り付けられた前記部品取付部に取り付けられていることを特徴とするものである。
【発明の効果】
【００１１】
請求項１に記載された発明によれば、前記複数の部品取付部のうちの少なくとも１つには、前記部品を包囲する筒状の包囲壁と、該包囲壁の内面から延設されて前記部品に係止する係止アームと、が設けられ、前記包囲壁の対向する一対の壁に、前記バスバが前記保持部材に取り付けられる際に通されるスリットが設けられ、かつ、前記包囲壁の外周面に、枠状に形成され前記スリットの間隔が拡がることを防止する開き防止部材が取り付けられているので、包囲壁に外力が加えられた場合でもスリットの間隔が拡がることがなく、係止アームの部品への係止が外れることがない。よって、部品取付部から部品が脱落することを確実に防止できる電気接続箱を提供することができる。
【００１２】
請求項２に記載された発明によれば、前記部品の１つである電線の端末に接続された端子金具が、前記開き防止部材が取り付けられた前記部品取付部に取り付けられているので、部品取付部から端子金具が脱落することを確実に防止できる電気接続箱を提供することができる。
【図面の簡単な説明】
【００１３】
【図１】本発明の一実施形態にかかる電気接続箱を示す斜視図である。
【図２】図１中のＡ−Ａ線に沿った断面図である。
【図３】図１に示された電気接続箱の平面図である。
【図４】図２に示された端子金具を部品取付部に取り付ける前の状態を示す斜視図である。
【図５】図４中のＢ−Ｂ線に沿った断面図である。
【図６】図４に示された電気接続箱の要部を拡大した斜視図である。
【図７】図６に示された開き防止部材の斜視図である。
【図８】図６に示されたバスバの斜視図である。
【図９】図６に示された開き防止部材を包囲壁に取り付ける前の状態を示す斜視図である。
【発明を実施するための形態】
【００１４】
本発明の一実施形態にかかる「電気接続箱」を図１〜９を参照して説明する。本発明の電気接続箱１は、自動車に搭載されて、前記自動車に搭載された電子機器に対して電力供給及び信号伝達を行うものである。
【００１５】
図１〜３に示すように、上記電気接続箱１は、合成樹脂製のケース４と、ケース４の下面４ａ側に取り付けられるロアカバー（不図示）と、ケース４の上面４ｂ側に取り付けられるアッパカバー（不図示）と、バスバ６と、該バスバ６に電気接続される複数の部品と、を備えている。
【００１６】
また、「ケース４の下面４ａ」とは、電気接続箱１の使用時に下側に位置する面のことであり、「ケース４の上面４ｂ」とは、電気接続箱１の使用時に上側に位置する面のことである。
【００１７】
上記ケース４は、四角い枠状に形成された外壁３と、外壁３の内側に設けられた保持部材２と、が一体で設けられている。保持部材２には、バスバ６が取り付けられるバスバ取付部２３、ヒューズ等が取り付けられる複数の部品取付部２１，２２、電線８の端末に接続された端子金具７が取り付けられる部品取付部１０などが設けられている。また、部品取付部２１，２２は、ケース４の上面４ｂ側に設けられており、部品取付部１０は、ケース４の下面４ａ側に設けられている。
【００１８】
また、本発明の「保持部材２」は、必ずしも外壁３と一体でなくても良く、別体であっても良い。すなわち、「保持部材２」は、外壁３に着脱可能な構成であっても良い。
【００１９】
上記バスバ６は、金属板にプレス加工等が施されて得られる配線部材である。図８に示すように、バスバ６には、板状の基部６４と、基部６４の縁から突出し、ヒューズ等と電気接続される複数の接続部６１，６２と、基部６４の縁から突出し、端子金具７と電気接続される板状の端子金具接続部６０と、が設けられている。また、端子金具接続部６０は、横一列に並設された複数の接続部６１と、横一列に並設された複数の接続部６２との間に設けられ、複数の接続部６１，６２と逆向きに突出している。また、基部６４は、複数の接続部６１と複数の接続部６２とが対向するようにコ字状に折り曲げられている。また、基部６４には、バスバ取付部２３に備わったバスバ係止アーム１３（図２を参照。）が係止する係止孔６３が複数設けられている。
【００２０】
このようなバスバ６は、基部６４がバスバ取付部２３に位置付けられて係止孔６３にバスバ係止アーム１３が係止すると、端子金具接続部６０が部品取付部１０に位置付けられ、接続部６１が部品取付部２１に位置付けられ、接続部６２が部品取付部２２に位置付けられる。
【００２１】
上記端子金具７は、電線８とバスバ６とを電気的に接続するためのものである。図２，４に示すように、端子金具７は、電線８の絶縁被覆をかしめる一対の被覆かしめ片７１と、電線８の芯線をかしめる一対の芯線かしめ片７２と、バスバ６の端子金具接続部６０を受け入れ可能な筒部７３と、筒部７３の内側に設けられ、端子金具接続部６０を筒部７３の内面側に付勢するバネ片７４と、を備えている。筒部７３には、部品取付部１０に備わった係止アーム１２が係止する係止孔７５が設けられている。また、本発明では、電線８の端末に端子金具７が接続されたものを「端子金具付き電線」と呼び、符号９を付す。
【００２２】
上記端子金具付き電線９の端子金具７が取り付けられる部品取付部１０は、端子金具７を包囲する筒状の包囲壁１１と、該包囲壁１１の内面から延設されて端子金具７の係止孔７５に係止する係止アーム１２と、包囲壁１１の外周面に取り付けられた開き防止部材５と、で構成されている。
【００２３】
図９に示すように、上記包囲壁１１は、４面の壁１１ａ，１１ｂ，１１ｃ，１１ｄにより四角筒状に形成されている。また、上記係止アーム１２は、壁１１ｂの内面から延設されている。また、包囲壁１１の対向する一対の壁１１ｃ，１１ｄには、バスバ６がバスバ取付部２３に取り付けられる際に通されるスリット１４が設けられている。
【００２４】
図７に示すように、上記開き防止部材５は、包囲壁１１と別体で形成されており、合成樹脂により四角い枠状に形成されている。この開き防止部材５は、包囲壁１１の外周面に圧入により取り付けられてスリット１４の間隔が拡がることを防止する。すなわち、開き防止部材５は、包囲壁１１が外力によって変形することを防止する。
【００２５】
また、上記部品取付部１０は、包囲壁１１の間口寸法が他の部品取付部２１，２２の間口寸法と比較して大きいことと、包囲壁１１の対向する一対の壁１１ｃ，１１ｄにスリット１４が設けられていることから、外力が加わった際の変形量が他の部品取付部２１，２２よりも大きい。ゆえに、包囲壁１１に開き防止部材５を取り付けないと、係止アーム１２の端子金具７への係止が外れるおそれがあるため、本実施形態の電気接続箱１においては、部品取付部１０の包囲壁１１のみに開き防止部材５を取り付けている。しかし、本発明においては、端子金具７が取り付けられる部品取付部１０に限らず、部品の脱落が懸念される部品取付部がある場合、適宜、これら部品取付部に開き防止部材５を取り付けるようにして良い。
【００２６】
このように、本発明によれば、部品取付部１０の包囲壁１１の外周面に開き防止部材５が取り付けられているので、包囲壁１１に外力が加えられた場合でもスリット１４の間隔が拡がることがなく、係止アーム１２の端子金具７への係止が外れることがない。よって、部品取付部１０から端子金具７が脱落することを確実に防止できる電気接続箱１を提供することができる。
【００２７】
次に、上記電気接続箱１の組み立て方法を説明する。まず、図９に示すように、開き防止部材５を包囲壁１１から外した状態で、バスバ６を下面４ａ側からスリット１４を通すようにしてバスバ取付部２３に取り付ける。次に、図６に示すように、開き防止部材５を包囲壁１１の外周面に圧入により取り付ける。そして、図４，５に示すように、端子金具付き電線９を下面４ａ側から包囲壁１１の内側に挿入して、端子金具７を部品取付部１０に取り付けるとともにバスバ６の端子金具接続部６０に電気接続する。そして、ヒューズ等の部品を上面４ｂ側から部品取付部２１，２２に取り付けるとともにバスバ６の接続部６１，６２に電気接続する。なお、ヒューズ等の部品の取付作業は、端子金具付き電線９の取付作業前に行っても良い。最後に、ケース４にロアカバー及びアッパカバーを取り付けることで電気接続箱１が完成する。
【００２８】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００２９】
１  電気接続箱
２  保持部材
５  開き防止部材
６  バスバ
７  端子金具
８  電線
１０，２１，２２  部品取付部
１１  包囲壁
１２  係止アーム
１４  スリット
２３  バスバ取付部
【図１】
2013021757.tif 000003
【図２】
2013021757.tif 000004
【図３】
2013021757.tif 000005
【図４】
2013021757.tif 000006
【図５】
2013021757.tif 000007
【図６】
2013021757.tif 000008
【図７】
2013021757.tif 000009
【図８】
2013021757.tif 000010
【図９】
2013021757.tif 000011